(57)【要約】      （修正有）【課題】電力伝送システムにおける電力伝送時に、磁界密度が高くなる領域を減少させることを可能とする受電装置を提供する。【解決手段】受電装置は、中央領域に突出部２６０ｐを含む平面視において矩形形状のコア２６０と、突出部２６０ｐの周囲に配置される環状のコイルとを備え、コア２６０は、複数の外側用板状フェライトコア２６０Ａが環状に配列された外側コア２６０Ｘと、その外周縁部領域が外側コア２６０Ｘの内周縁部領域と重なるよう配置され、複数の内側用板状フェライトコア２６０Ｂが行列状に配列された内側コア２６０Ｙとを有し、内側コア２６０Ｙの角部を構成する内側用板状フェライトコア２６０Ｂは、角部Ｃ１０を除く辺を含む外周縁部領域領域が外側コア２６０Ｘの内周縁部領域と重なるよう配置した。【選択図】図４
2016129164.tif 000002
【特許請求の範囲】
【請求項１】
送電装置から非接触で電力が伝送される受電装置であって、
中央領域に突出部を含む平面視において矩形形状のコアと、
前記突出部の周囲に配置される環状のコイルと、を備え、
前記コアは、
複数の外側用板状フェライトコアが環状に配列された外側コアと、
その外周縁部領域が前記外側コアの内周縁部領域と重なるよう配置され、複数の内側用板状フェライトコアが行列状に配列された内側コアと、を有し、
前記内側コアの角部を構成する前記内側用板状フェライトコアは、前記角部を除く辺を含む外周縁部領域領域が前記外側コアの内周縁部領域と重なるよう配置されている、受電装置。
【請求項２】
前記内側コアの角部を構成する前記内側用板状フェライトコアは、
前記角部を構成する第１辺および第２辺を有し、
前記第１辺および前記第２辺はいずれも、前記外側コアとの重なる長さが、前記外側コアと重ならない長さよりも長い、請求項１に記載の受電装置。
【請求項３】
前記内側コアの角部を構成する前記内側用板状フェライトコアは、
前記角部を構成する第１辺および第２辺を有し、
前記外側コアは、
前記第１辺が重なる第１外側用板状フェライトコアと、
前記第２辺が重なる第２外側用板状フェライトコアと、を有し、
前記第１外側用板状フェライトコアと前記第２外側用板状フェライトコアとは、前記コアの中心と前記内側コアの前記角部とを結ぶ仮想線を境にして隙間を設けて配置されている、請求項１または請求項２に記載の受電装置。
【請求項４】
前記第１外側用板状フェライトコアおよび前記第２外側用板状フェライトコアは、いずれも１辺に斜辺を含む直角台形形状であり、
前記第１外側用板状フェライトコアと前記第２外側用板状フェライトコアとは、前記仮想線を境にして、それぞれの前記斜辺が対向するように配置されている、請求項３に記載の受電装置。
【請求項５】
受電装置に非接触で電力を伝送する送電装置であって、
中央領域に突出部を含む平面視において矩形形状のコアと、
前記突出部の周囲に配置される環状のコイルと、を備え、
前記コアは、
複数の外側用板状フェライトコアが環状に配列された外側コアと、
その外周縁部領域が前記外側コアの内周縁部領域と重なるよう配置され、複数の内側用板状フェライトコアが行列状に配列された内側コアと、を有し、
前記内側コアの角部を構成する前記内側用板状フェライトコアは、前記角部を除く辺を含む外周縁部領域領域が前記外側コアの内周縁部領域と重なるよう配置されている、送電装置。
【請求項６】
前記内側コアの角部を構成する前記内側用板状フェライトコアは、
前記角部を構成する第１辺および第２辺を有し、
前記第１辺および前記第２辺はいずれも、前記外側コアとの重なる長さが、前記外側コアと重ならない長さよりも長い、
請求項５に記載の送電装置。
【請求項７】
前記内側コアの角部を構成する前記内側用板状フェライトコアは、
前記角部を構成する第１辺および第２辺を有し、
前記外側コアは、
前記第１辺が重なる第１外側用板状フェライトコアと、
前記第２辺が重なる第２外側用板状フェライトコアと、を有し、
前記第１外側用板状フェライトコアと前記第２外側用板状フェライトコアとは、前記コアの中心と前記内側コアの前記角部とを結ぶ仮想線を境にして隙間を設けて配置されている、請求項５または請求項６に記載の送電装置。
【請求項８】
前記第１外側用板状フェライトコアおよび前記第２外側用板状フェライトコアは、いずれも１辺に斜辺を含む直角台形形状であり、
前記第１外側用板状フェライトコアと前記第２外側用板状フェライトコアとは、前記仮想線を境にして、それぞれの前記斜辺が対向するように配置されている、請求項７に記載の送電装置。
【発明の詳細な説明】
【技術分野】
【０００１】
本発明は、非接触で電力を送電装置から受電する受電装置を備える電力伝送システムに用いられる、その受電装置および送電装置に関する。
【背景技術】
【０００２】
非接触で電力を送受電する送電装置および受電装置を用いる電力伝送システムとして、特開２０１３−１５４８１５号公報（特許文献１）、特開２０１３−１４６１５４号公報（特許文献２）、特開２０１３−１４６１４８号公報（特許文献３）、特開２０１３−１１０８２２号公報（特許文献４）、特開２０１３−１２６３２７号公報（特許文献５）、特開２０１４−０９６４３５号公報（特許文献６）、および、特開２００８−１２０２３９号公報（特許文献７）等が挙げられる。
【０００３】
たとえば、特許文献７に開示された送電装置は、複数の板状コアを積層して形成されたコアと、このコアに装着されたコイルとを備える。このコアは、平面視において中央部に突出部が設けられ、この突出部を利用して環状コイルがコアに装着されている。
【先行技術文献】
【特許文献】
【０００４】
【特許文献１】特開２０１３−１５４８１５号公報
【特許文献２】特開２０１３−１４６１５４号公報
【特許文献３】特開２０１３−１４６１４８号公報
【特許文献４】特開２０１３−１１０８２２号公報
【特許文献５】特開２０１３−１２６３２７号公報
【特許文献６】特開２０１４−０９６４３５号公報
【特許文献７】特開２００８−１２０２３９号公報
【発明の概要】
【発明が解決しようとする課題】
【０００５】
特許文献７に開示された送電装置に採用されるコアに設けられる突出部は、板状コアを積層して形成されている。しかし、コアの材料であるフェライトコアの使用量の低減等を考慮すると、突出部は中空に形成することが望ましい。
【０００６】
コアの突出部を中空構造にした場合、環状に板状コアを配置し、この環状に配置した板状コア（外側コア）の内周縁部に、板状コア（内側コア）を位置させることで、中空状の突出部を形成することが考えられる。これにより、コアを構成するフェライトコアの使用量の削減を可能とする。
【０００７】
しかし、内側コアの角部に位置する板状コアの角部は、外側コアの角部に位置する板状コアの角部に重なるように位置することとなる。その結果、内側コアの角部と外側コアの角部との重なり面積は小さくなりやすく、この部分において磁界密度が高くなる。さらに、磁界密度が高くなる結果、この部分においてコアの温度が上昇することとなる。受電装置においても同様の課題の発生が懸念される。
【０００８】
この発明は、上記課題に鑑みてなされたものであり、電力伝送システムにおける電力伝送時に、磁界密度が高くなる領域を減少させることを可能とする受電装置および送電装置を提供することを目的とする。
【課題を解決するための手段】
【０００９】
この受電装置においては、送電装置から非接触で電力が伝送される受電装置であって、中央領域に突出部を含む平面視において矩形形状のコアと、上記突出部の周囲に配置される環状のコイルとを備え、上記コアは、複数の外側用板状フェライトコアが環状に配列された外側コアと、その外周縁部領域が上記外側コアの内周縁部領域と重なるよう配置され、複数の内側用板状フェライトコアが行列状に配列された内側コアとを有し、上記内側コアの角部を構成する上記内側用板状フェライトコアは、上記角部を除く辺を含む外周縁部領域領域が上記外側コアの内周縁部領域と重なるよう配置されている。
【００１０】
この送電装置においては、受電装置に非接触で電力を伝送する送電装置であって、中央領域に突出部を含む平面視において矩形形状のコアと、上記突出部の周囲に配置される環状のコイルとを備え、上記コアは、複数の外側用板状フェライトコアが環状に配列された外側コアと、その外周縁部領域が上記外側コアの内周縁部領域と重なるよう配置され、複数の内側用板状フェライトコアが行列状に配列された内側コアとを有し、上記内側コアの角部を構成する上記内側用板状フェライトコアは、上記角部を除く辺を含む外周縁部領域領域が上記外側コアの内周縁部領域と重なるよう配置されている。
【００１１】
上記受電装置および送電装置の構成によれば、内側コアの角部を構成する内側用板状フェライトコアは、角部を除くとともに、外周縁部領域領域が外側コアの内周縁部領域と重なるよう配置される。その結果、内側コアの角部は、外側コアには支持されない状態となるため、この部分において磁界密度が高くなることを回避することができる。さらに、磁界密度が高くならないことから、この部分におけるフェライトコアの温度も回避することが可能となる。
【発明の効果】
【００１２】
電力伝送システムにおける電力伝送時に、磁界密度が高くなる領域を減少させることを可能とする受電装置および送電装置を提供することができる。
【図面の簡単な説明】
【００１３】
【図１】実施の形態における電力伝送システムを示す図である。
【図２】実施の形態における受電装置の構成を示す斜視図である。
【図３】実施の形態における送電装置の構成を示す斜視図である。
【図４】実施の形態における受電装置に用いられるコアの構成を示す平面図である。
【図５】図４中のＶで囲まれた領域の拡大図である。
【図６】背景技術における受電装置に用いられるコアの構成を示す平面図である。
【図７】図６中のＶＩＩで囲まれた領域の拡大図である。
【図８】図２中のＶＩＩＩ−ＶＩＩＩ線矢視断面図である。
【図９】実施の形態における送電装置に用いられるコアの構成を示す平面図である。
【図１０】図９中のＸで囲まれた領域の拡大図である。
【図１１】図３中のＸＩ−ＸＩ線矢視断面図である。
【発明を実施するための形態】
【００１４】
本発明に基づいた一例における実施の形態について、以下、図面を参照しながら説明する。以下に説明する実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。実施の形態における構成を適宜組み合わせて用いることは当初から予定されていることである。図においては、実際の寸法比率では記載しておらず、構造の理解を容易にするために、一部比率を異ならせて記載している。
【００１５】
以下に用いる各図において、図中の矢印Ｆの示す方向は、車両の前進方向および後進方向である車両前後方向を示し、図中の矢印Ｗの示す方向は、車両前後方向に対して直交する車両の左右方向である車両幅方向を示す。
【００１６】
（電力伝送システム１０００）
図１を参照して、非接触で電力を伝送する電力伝送システム１０００について説明する。電力伝送システム１０００は、電動車両１００に搭載される受電装置１０と、駐車場等の設備側に設置される送電装置５０とを備える。電動車両１００は、受電装置１０および車両本体１０５を含む。
【００１７】
（受電装置１０）
受電装置１０は、コイルユニット２００、および、コイルユニット２００により受電された電力を蓄える蓄電装置としてのバッテリ１５０との間に設けられる電気機器１１０を含む。コイルユニット２００は、コイル２５０および磁性体材料であるフェライトコア２６０を有する。フェライトコア２６０は、中央領域に突出部２６０ｐを含み平面視において矩形形状を有している。詳細構造については後述する。
【００１８】
本実施の形態では、コイル２５０としては、外観において略矩形の環状の形態を有する渦巻き型コイルを採用している。コイル２５０は、フェライトコア２６０の突出部２６０ｐの周囲に配置されている。
【００１９】
電気機器１１０は、コンデンサ１２０、整流器１３０、および、ＤＣ／ＤＣコンバータ１４０等を有する。図示では、コイル２５０およびコンデンサ２２０は、直列接続されるが、これらは並列接続されてもよい。
【００２０】
車両本体１０５は、電気機器１１０のＤＣ／ＤＣコンバータ１４０に接続されるバッテリ１５０、パワーコントロールユニット１６０、モータユニット１７０、および通信部１８０などを含む。
【００２１】
コイル２５０の巻数は、コイル２５０と後述のコイル４５０との間の距離、ならびにコイル２５０とコイル４５０との共鳴強度を示すＱ値（たとえばＱ≧１００）およびその結合度を示す結合係数（κ）などが大きくなるように適宜設定される。コイル２５０は、コンデンサ２２０を介して整流器１３０に接続される。整流器１３０は、コイルユニット２００から供給される交流電流を直流電流に変換し、ＤＣ／ＤＣコンバータ１４０に供給する。
【００２２】
（送電装置５０）
送電装置５０は、コイルユニット４００と電気機器３００とを含む。コイルユニット４００は、コイル４５０および磁性体材料であるフェライトコア４６０を有する。本実施の形態におけるフェライトコア４６０は、中央領域に突出部４６０ｐを含み平面視において矩形形状を有している。詳細構造については後述する。
【００２３】
本実施の形態では、コイル４５０としては、外観において略矩形の環状の形態を有する渦巻き型コイルを採用している。コイル４５０は、フェライトコア４６０の突出部４６０ｐの周囲に配置されている。
【００２４】
電気機器３００は、コンデンサ４２０、高周波電力装置３１０、送電ＥＣＵ３２０、および通信部３２２を含む。外部の交流電源３３０とは、コンセントプラグ３４０等を用いて着脱可能に接続される。図示では、コイル４５０およびコンデンサ４２０は、直列接続されるが、これらは並列接続されてもよい。
【００２５】
高周波電力装置３１０は、交流電源３３０から受ける電力を高周波の電力に変換し、変換した高周波電力をコイル４５０へ供給する。コイル４５０は、コイルユニット２００のコイル２５０へ、電磁誘導により非接触で電力を送電する。
【００２６】
（受電装置１０の構成）
図２を参照して、本実施の形態における受電装置１０の構成について説明する。図２は、受電装置１０の構成を示す斜視図である。なお、受電装置１０は、通常車両の底面に搭載され、コイル２５０がコイル４５０に対向するように配置される（図１参照）が、図２においては、説明の便宜上天地を逆にして記載している。
【００２７】
この受電装置１０は、上記したように送電装置５０から非接触で電力を受電するコイルユニット２００と、コイルユニット２００に接続される電気機器１１０とを有し、これらのコイルユニット２００および電気機器１１０は、筐体６００の中に収容されている。したがって、本実施の形態における受電装置１０においては、コイルユニット２００および電気機器１１０が一体化された構成を有している。筐体６００は、設置壁６１０、蓋部材６２０、および、側壁６３０を含む。
【００２８】
渦巻き型コイルが採用されたコイル２５０は、車両の上下方向に延びる受電巻回軸ＣＬ１の周囲を取り囲むように銅線等が用いられたコイル線Ｃ１が巻回された矩形環状の外形形状を有する。筐体６００内において、電気機器１１０は、コイルユニット２００に対して、車両前後方向に配置されている。図２においては、電気機器１１０を、前後方向に２分割して配置しているが、電気機器１１０を、コイルユニット２００の車両前後方向の前側又は後側、あるいは、車両幅方向に配置してもよい。
【００２９】
（送電装置５０の構成）
図３を参照して、本実施の形態における送電装置５０の構成について説明する。図３は、送電装置５０の構成を示す斜視図である。この送電装置５０は、上記したように受電装置１０に非接触で電力を送電するコイルユニット４００と、コイルユニット４００に接続される電気機器３００とを有し、これらのコイルユニット４００および電気機器３００は、筐体６００の中に収容されている。したがって、本実施の形態における送電装置５０においては、コイルユニット４００および電気機器３００が一体化された構成を有している。筐体６００は、設置壁６１０、蓋部材６２０、および、側壁６３０を含む。
【００３０】
渦巻き型コイルが採用されたコイル４５０は、車両の上下方向に延びる送電巻回軸ＣＬ２の周囲を取り囲むようにコイル線Ｃ２が巻回された矩形環状の外形形状を有する。筐体６００内において、電気機器３００は、コイルユニット４００に対して、車両の前後方向に配置されている。図３においては、電気機器３００を、前後方向に２分割して配置しているが、電気機器３００を、コイルユニット４００の車両の前側または後ろ側、あるいは、幅方向に配置してもよい。
【００３１】
（受電装置用のフェライトコア２６０）
図４および図５を参照して、受電装置１０に用いられる受電装置用のフェライトコア２６０の構成について説明する。図４は、実施の形態における受電装置１０に用いられるフェライトコア２６０の構成を示す平面図、図５は、図４中のＶで囲まれた領域の拡大図である。
【００３２】
本実施の形態におけるフェライトコア２６０は、複数の外側用板状フェライトコア２６０Ａが環状に配列された外側コア２６０Ｘと、その外周縁部領域が外側コア２６０Ｘの内周縁部領域と重なるよう配置され、複数の内側用板状フェライトコア２６０Ｂが行列状に配列された内側コア２６０Ｙとを有している。
【００３３】
外側コア２６０Ｘは、８つの外側用板状フェライトコア２６０Ａを有している。それぞれの外側用板状フェライトコア２６０Ａは、直角台形形状を有し、３つの角部は９０度、１つの角部は４５度に形成され、斜辺ＴＡ１を有している。
【００３４】
外側コア２６０Ｘは、全体として見た場合には、平面視において矩形形状を有し、各辺には、２つの外側用板状フェライトコア２６０Ａが所定の間隔を隔てて配置されている。さらに、図５に詳細に示すように、外側コア２６０Ｘの角部において、一方の辺に位置する外側用板状フェライトコア２６０Ａを第１外側用板状フェライトコア２６０Ａａとし、他方の辺に位置する外側用板状フェライトコア２６０Ａを第２外側用板状フェライトコア２６０Ａｂとした場合に、第１外側用板状フェライトコア２６０Ａａと第２外側用板状フェライトコア２６０Ａｂとは、仮想線Ｌ１を境にして、それぞれの斜辺ＴＡ１が対向するように配置されている。ここで、仮想線Ｌ１は、外側コア２６０Ｘの中心（重心）ＣＬ１０と内側コア２６０Ｙの角部Ｃ１０とを結ぶ線を意味する。
【００３５】
内側コア２６０Ｙは、矩形形状を有する内側用板状フェライトコア２６０Ｂが、３行３列に合計９個が、所定の間隙を隔ててそれぞれ配置されている。内側コア２６０Ｙは、フェライトコア２６０の突出部２６０ｐを構成する。上記したように、内側コア２６０Ｙの外周縁部領域が外側コア２６０Ｘの内周縁部領域と重なるよう配置される。
【００３６】
これにより、内側コア２６０Ｙの角部Ｃ１０を構成する内側用板状フェライトコア２６０Ｂは、角部Ｃ１０を除くとともに、第１辺２６０Ｂ１および第２辺２６０Ｂ２を含む外周縁部領域領域が外側コア２６０Ｘの内周縁部領域と重なるよう配置される。その結果、内側コア２６０Ｙの角部Ｃ１０は、外側コア２６０Ｘには支持されない状態となるため、この部分において磁界密度が高くなることを回避することができる。さらに、磁界密度が高くならないことから、この部分におけるフェライトコア２６０の温度も回避することが可能となる。
【００３７】
また、好ましくは、内側用板状フェライトコア２６０Ｂの第１辺２６０Ｂ１および第２辺２６０Ｂ２において、第１辺２６０Ｂ１および第２辺２６０Ｂ２のいずれもが、外側コア２６０Ｘとの重なる長さＷ１が、外側コア２６０Ｘと重ならない長さＷ２よりも長くなるように重ね合わされている。これにより、内側用板状フェライトコア２６０Ｂの外側コア２６０Ｘとの重なり面積が大きく確保されることで磁束密度が小さくなり、フェライトコア２６０での鉄損をより低減させることが可能になる。
【００３８】
ここで、図６および図７を参照して、背景技術のフェライトコア２６０Ｚの角部における外側用板状フェライトコア２６０Ａと内側用板状フェライトコア２６０Ｂとの重なり関係について説明する。図６は、背景技術における受電装置に用いられるフェライトコア２６０の構成を示す平面図、図７は、図６中のＶＩＩで囲まれた領域の拡大図である。
【００３９】
背景技術におけるフェライトコア２６０の角部においては、外側用板状フェライトコア２６０Ａの角部に内側用板状フェライトコア２６０Ｂの角部が位置するように配置されている。その結果、内側用板状フェライトコア２６０Ｂの角部と外側用板状フェライトコア２６０Ａの角部との重なり面積ＯＬは小さくなりやすく、この部分において磁界密度が高くなる。さらに、この重なり面積ＯＬの領域において磁界密度が高くなる結果、この部分においてコアの温度が上昇することとなる。
【００４０】
しかし、本実施の形態では、上記したように、内側用板状フェライトコア２６０Ｂの角部と外側用板状フェライトコア２６０Ａの角部とが重なる状態にはならないことから、この部分において磁界密度が高くなることを回避し、この部分におけるフェライトコア２６０の温度上昇も回避することを可能としている。
【００４１】
（受電装置１０の内部構造）
図８を参照して、受電装置１０の内部構造について説明する。図８は、図２中ＶＩＩＩ−ＶＩＩＩ線矢視断面図である。本実施の形態における受電装置１０は、平面視においては矩形形状であるとともに板状に成形されており、内部に、フェライトコア２６０と、突出部２６０ｐの周りに配置された環状のコイル２５０と、フェライトコア２６０の一方の主面側に設けられたシールド２６１，６４０とを備える。フェライトコア２６０、コイル２５０、および、シールド２６１，６４０は、筐体６００内に収容されている。
【００４２】
筐体６００は、アルミ等の金属製の設置壁６１０および樹脂製の蓋部材６２０から構成され、紙面垂直方向には樹脂製の側壁６３０（図２参照）が配置されている。シールド２６１，６４０は、アルミ、銅等の金属製の材料より構成されている。
【００４３】
筐体６００内において、シールド６４０のフェライトコア２６０とは反対側には収容部６００Ｂが形成され、電気機器１１０が収容されている。また、本実施の形態では、フェライトコア２６０には、突出部２６０ｐが設けられていることから、シールド６４０と凸部２６０ａとの間にも所定の空間が形成され、この領域にも電気機器１１０を配置することを可能としている。
【００４４】
本実施の形態では、外側コア２６０Ｘとして、８つの外側用板状フェライトコア２６０Ａを用いた場合について説明しているが、必ずしもこの形態に限定されるものではない。たとえば、図示において左右の外側用板状フェライトコア２６０Ａの間に長方形形状の外側用板状フェライトコアを載置してもよい。同様に、上下の外側用板状フェライトコア２６０Ａの間に長方形形状の外側用板状フェライトコアを載置してもよい。
【００４５】
また、内側コア２６０Ｙとして、３行３列に合計９個の内側用板状フェライトコア２６０Ｂを用いた場合について説明しているが、必ずしもこの形態に限定されるものではない。フェライトコア２６０に必要とされる外形の大きさに応じて適宜ｎ行ｍ列（ｎ、ｍは自然数）の配列が選択される。
【００４６】
また、上記したように、フェライトコア２６０を、外側コア２６０Ｘと内側コア２６０Ｙとに分割し、さらに、外側コア２６０Ｘおよび内側コア２６０Ｙもそれぞれ分割構造にすることで、フェライトコアに要するフェライトの使用量を削減することができるとともに、同じ形状の外側コア２６０Ｘ、および同じ形状の内側コア２６０Ｙをそれぞれ組み合わせることで、フェライトコアに要する製造コストの削減を図ることも可能とする。
【００４７】
（送電装置用のフェライトコア４６０）
図９および図１０を参照して、送電装置５０に用いられる送電装置用のフェライトコア４６０の構成について説明する。図９は、実施の形態における送電装置５０に用いられるフェライトコア４６０の構成を示す平面図、図１０は、図９中のＸで囲まれた領域の拡大図である。
【００４８】
本実施の形態におけるフェライトコア４６０は、複数の外側用板状フェライトコア４６０Ａが環状に配列された外側コア４６０Ｘと、その外周縁部領域が外側コア４６０Ｘの内周縁部領域と重なるよう配置され、複数の内側用板状フェライトコア４６０Ｂが行列状に配列された内側コア４６０Ｙとを有している。
【００４９】
外側コア４６０Ｘは、８つの外側用板状フェライトコア４６０Ａを有している。それぞれの外側用板状フェライトコア４６０Ａは、直角台形形状を有し、３つの角部は９０度、１つの角部は４５度に形成され、斜辺ＴＡ１を有している。
【００５０】
外側コア４６０Ｘは、全体としてみた場合には、平面視において矩形形状を有し、各辺には、２つの外側用板状フェライトコア４６０Ａが所定の間隔を隔てて配置されている。さらに、図１０に詳細に示すように、外側コア４６０Ｘの角部において、一方の辺に位置する外側用板状フェライトコア４６０Ａを第１外側用板状フェライトコア４６０Ａａとし、他方の辺に位置する外側用板状フェライトコア４６０Ａを第２外側用板状フェライトコア４６０Ａｂとした場合に、第１外側用板状フェライトコア４６０Ａａと第２外側用板状フェライトコア４６０Ａｂとは、仮想線Ｌ１を境にして、それぞれの斜辺ＴＡ１が対向するように配置されている。ここで、仮想線Ｌ１は、外側コア４６０Ｘの中心（重心）ＣＬ１０と内側コア４６０Ｙの角部Ｃ１０とを結ぶ線を意味する。
【００５１】
内側コア４６０Ｙは、矩形形状を有する内側用板状フェライトコア４６０Ｂが、３行３列に合計９個が、所定の間隙を隔ててそれぞれ配置されている。内側コア４６０Ｙは、フェライトコア４６０の突出部４６０ｐを構成する。上記したように、内側コア４６０Ｙの外周縁部領域が外側コア４６０Ｘの内周縁部領域と重なるよう配置される。
【００５２】
これにより、内側コア４６０Ｙの角部Ｃ１０を構成する内側用板状フェライトコア４６０Ｂは、角部Ｃ１０を除くとともに、第１辺４６０Ｂ１および第２辺４６０Ｂ２を含む外周縁部領域領域が外側コア４６０Ｘの内周縁部領域と重なるよう配置される。その結果、内側コア４６０Ｙの角部Ｃ１０は、外側コア４６０Ｘには支持されない状態となるため、この部分において磁界密度が高くなることを回避することができる。さらに、磁界密度が高くならないことから、この部分におけるフェライトコア４６０の温度も回避することが可能となる。
【００５３】
また、好ましくは、内側用板状フェライトコア４６０Ｂの第１辺４６０Ｂ１および第２辺４６０Ｂ２において、第１辺４６０Ｂ１および第２辺４６０Ｂ２のいずれもが、外側コア４６０Ｘとの重なる長さＷ１が、外側コア４６０Ｘと重ならない長さＷ２よりも長くなるように重ね合わされている。これにより、内側用板状フェライトコア４６０Ｂの外側コア４６０Ｘとの重なり面積が大きく確保されることで磁束密度が小さくなり、フェライトコア４６０での鉄損をより低減させることが可能になる。
【００５４】
（送電装置５０の内部構造）
また、図１１を参照して、送電装置５０の内部構造について説明する。図１１は、図３中ＸＩ−ＸＩ線矢視断面図である。本実施の形態における送電装置５０は、平面視においては矩形形状であるとともに板状に成形されており、内部に、フェライトコア４６０と、突出部４６０ｐの周りに配置された環状のコイル４５０と、フェライトコア４６０の一方の主面側に設けられたシールド４６１，６４０とを備える。
【００５５】
フェライトコア２６０、コイル２５０、および、シールド４６１，６４０は、筐体６００内に収容されている。筐体６００は、アルミ等の金属製の設置壁６１０および樹脂製の蓋部材６２０から構成され、紙面垂直方向には樹脂製の側壁６３０（図３参照）が配置されている。シールド４６１，６４０は、アルミ、銅等の金属製の材料より構成されている。
【００５６】
筐体６００内において、シールド６４０のフェライトコア４６０とは反対側には収容部６００Ｂが形成され、電気機器３００が収容されている。また、本実施の形態では、フェライトコア４６０には、突出部４６０ｐが設けられていることから、シールド６４０と凸部４６０ａとの間にも所定の空間が形成され、この領域にも電気機器３００を配置することを可能としている。
【００５７】
本実施の形態では、外側コア２６０Ｘとして、８つの外側用板状フェライトコア４６０Ａを用いた場合について説明しているが、必ずしもこの形態に限定されるものではない。たとえば、図示において左右の外側用板状フェライトコア４６０Ａの間に長方形形状の外側用板状フェライトコアを載置してもよい。同様に、上下の外側用板状フェライトコア４６０Ａの間に長方形形状の外側用板状フェライトコアを載置してもよい。
【００５８】
また、内側コア４６０Ｙとして、３行３列に合計９個の内側用板状フェライトコア４６０Ｂを用いた場合について説明しているが、必ずしもこの形態に限定されるものではない。フェライトコア４６０に必要とされる外形の大きさに応じて適宜ｎ行ｍ列（ｎ、ｍは自然数）の配列が選択される。
【００５９】
また、上記したように、フェライトコア４６０を、外側コア４６０Ｘと内側コア４６０Ｙとに分割し、さらに、外側コア４６０Ｘおよび内側コア４６０Ｙもそれぞれ分割構造にすることで、フェライトコアに要するフェライトの使用量を削減することができるとともに、同じ形状の外側コア４６０Ｘ、および同じ形状の内側コア４６０Ｙをそれぞれ組み合わせることで、フェライトコアに要する製造コストの削減を図ることも可能とする。
【００６０】
以上、実施の形態について説明したが、今回開示された実施の形態はすべての点で例示であって制限的なものではない。本発明の技術的範囲は特許請求の範囲によって示され、特許請求の範囲と均等の意味および範囲内でのすべての変更が含まれることが意図される。
【符号の説明】
【００６１】
１０  受電装置、５０  送電装置、１００  電動車両、１０５  車両本体、１１０，３００  電気機器、１２０，２２０，４２０  コンデンサ、１３０  整流器、１４０  コンバータ、１５０  バッテリ、１６０  パワーコントロールユニット、１７０  モータユニット、１８０，３２２  通信部、２００  コイルユニット、２５０，４５０  コイル、２６０、４６０  フェライトコア、２６０Ａ，４６０Ａ  外側用板状フェライトコア、２６０Ａａ，４６０Ａａ  第１外側用板状フェライトコア、２６０Ａｂ，４６０Ａｂ  第２外側用板状フェライトコア、２６０Ｂ，４６０Ｂ  内側用板状フェライトコア、２６０Ｂ１，４６０Ｂ１  第１辺、２６０Ｂ２，４６０Ｂ２  第２辺、２６０Ｘ，４６０Ｘ  外側コア、２６０Ｙ，４６０Ｙ  内側コア、３１０  高周波電力装置、３３０  交流電源、４００  コイルユニット、２６１，４６１，６４０  シールド、２６０ｐ，４６０ｐ  突出部、６００  筐体、６００Ｂ  収容部、６１０  設置壁、６２０  蓋部材、６３０  側壁、１０００  電力伝送システム。
【図１】
2016129164.tif 000003
【図２】
2016129164.tif 000004
【図３】
2016129164.tif 000005
【図４】
2016129164.tif 000006
【図５】
2016129164.tif 000007
【図６】
2016129164.tif 000008
【図７】
2016129164.tif 000009
【図８】
2016129164.tif 000010
【図９】
2016129164.tif 000011
【図１０】
2016129164.tif 000012
【図１１】
2016129164.tif 000013